(57)【要約】【課題】  再研磨後におけるダイの高さ調節を行う高さ調節具であって弾性係止具の折損を防止した高さ調節具を提供する。【解決手段】  ダイ３の下面５に装着される高さ調節具であって、ダイ３の下面５に接合される環状の調節具本体７の内縁部に、ダイ３に形成したダイ孔１１内へ挿入可能な立上り部２１を備え、この立上り部２１に、前記ダイ孔１１の内面に弾性的に当接する弾性係止片１５を備え、前記立上り部２１の高さは、前記弾性係止片１５の弾性変形時に当該弾性変形に起因する変位を前記調節具本体７に与えることのない高さである。【選択図】  図１
2006239728.tif 000002
【特許請求の範囲】
【請求項１】
ダイの下面に装着される高さ調節具であって、ダイの下面に接合される環状の調節具本体の内縁部に、ダイに形成したダイ孔内へ挿入可能な立上り部を備え、この立上り部に、前記ダイ孔の内面に弾性的に当接する弾性係止片を備えていることを特徴とする高さ調節具。
【請求項２】
請求項１に記載の高さ調節具において、前記立上り部の高さは、前記弾性係止片の弾性変形時に当該弾性変形に起因する変位を前記調節具本体に与えることのない高さであることを特徴とする高さ調節具。
【発明の詳細な説明】
【技術分野】
【０００１】
本発明は、例えばタレットパンチプレスなどのごときパンチプレスに使用されるダイの高さを調節するための高さ調節具に係り、さらに詳細には、高さ調節具に備えた弾性係止具の破損や保持力の低下により高さ調節具がダイから脱落することを防止することのできる高さ調節具に関する。
【背景技術】
【０００２】
タレットパンチプレス等のパンチプレスにおいて、パンチとダイとによって板状のワークの打抜き加工を繰り返し行うと、パンチ刃部及びダイ刃部に摩耗を生じる。したがって、パンチ、ダイの再研磨を行って再使用している。この場合、パンチにおいては、パンチヘッドとして備えたナット部材を回すことにより、再研磨による縮小分を補正して、全体の長さ（高さ）を常に一定に保持している。ダイにおいては、シム、スペーサなどの高さ調節具をダイの下面に取付けることによって、再研磨により低くなる分を補正している（特許文献１参照）。
【特許文献１】特許第２６５９６５６号公報
【発明の開示】
【発明が解決しようとする課題】
【０００３】
前記特許文献１に記載の高さ調節具１は、図２（Ａ），（Ｂ）に示すように、ダイ３の下面５に接合される環状の調節具本体７を備えており、この調節具本体７の内縁部９に、前記ダイ３に形成したダイ孔１１の内面１３に弾性的に当接して調節具本体７をダイ孔１１に弾性的に係止するための複数の弾性係止片１５が等間隔に備えられている。
【０００４】
前記弾性係止片１５は、前記内縁部９の部分において上方向へ折曲げ、かつ先端側１５Ｅが前記内縁部９よりも外径方向に位置するように形成してある。そして、高さ調節具１をダイ３に取付けるときには、前記弾性係止片１５をダイ３のダイ孔１１内に強制的に挿入することによって行われる。この際、前記弾性係止片１５は、先端側１５Ｅが半径内方向へ移動するように弾性変形される。
【０００５】
したがって、高さ調節具１をダイ３に取付けたときには、ダイ３の下面５における外周縁側と調節具本体７の外周縁側とが当接し、ダイ３の下面５における内周縁側と調節具本体７の内周縁側との間には、前記弾性係止片１５の弾性変形に起因して僅かな間隙（クリアランス）が生じることになる。
【０００６】
前記高さ調節具１は、ダイ３に対する取付けが容易であり、ダイ３の再研磨後における高さ調節を容易に行うことができ、便利で有益なものである。しかし、前述したように、ダイ３の下面５と調節具本体７との間に僅かなクリアランスが生じるものであって、ワークの打抜き加工を行う毎に、前記クリアランスが零になって調節具本体７がダイ３の下面に面接触することが繰り返されるものである。
【０００７】
換言すれば、ワークの打抜き加工を行う毎に、前記弾性係止片１５は、調節具本体７の内縁部９との連結部を支点として先端側１５Ｅが半径内方向と外方向への変形（折曲げ作用）が繰り返されるものである。したがって、長時間の使用時には、前記弾性係止片１５が折損することがあり、ダイ３の着脱交換時などに、高さ調節具１がダイ３から脱落することがあるので、さらなる改善が求められていた。
【課題を解決するための手段】
【０００８】
本発明は、前述のごとき問題に鑑みてなされたもので、ダイの下面に装着される高さ調節具であって、ダイの下面に接合される環状の調節具本体の内縁部に、ダイに形成したダイ孔内へ挿入可能な立上り部を備え、この立上り部に、前記ダイ孔の内面に弾性的に当接する弾性係止片を備えていることを特徴とするものである。
【０００９】
また、前記高さ調節具において、前記立上り部の高さは、前記弾性係止片の弾性変形時に当該弾性変形に起因する変位を前記調節具本体に与えることのない高さであることを特徴とするものである。
【発明の効果】
【００１０】
本発明によれば、高さ調節具における調節具本体とダイの下面とは常に面接触した状態にあり、弾性係止片に折曲げ作用が生じるようなことがなく、前記弾性係止片の折損を防止することができるものである。
【発明を実施するための最良の形態】
【００１１】
以下、図面を用いて本発明の実施形態について説明するに、前述した従来の構成と同一機能を奏する構成要素には、同一符号を付して重複した説明は省略する。
【００１２】
図１を参照するに、本発明の実施形態に係る高さ調節具１は、前述した従来の高さ調節具と同様に、ダイ３の下面５に当接接合する環状の調節具本体７を備えており、この調節具本体７の内縁部には、ダイ３のダイ孔１１内へ挿入可能かつ内面１３に接合可能な立上り部２１を備えている。そして、この立上り部２１の上部に、従来の構成と同様の複数の弾性係止片１５を等間隔に備えている。
【００１３】
前記立上り部２１は、図１に示すように、環状であることが望ましい。しかし、環状に限ることなく、適宜幅寸法の立上り部であってもよいものである。要は、前記立上り部２１は、高さ調節具１の弾性係止片１５をダイ１１のダイ孔１１に強制的に挿入し内面１３に弾性的に係止するとき、前記弾性係止片１５の先端側１５Ｅが半径内方向へ弾性変形する際の支点２３が、前記調節具本体７の内縁部より高い位置であって、弾性係止片１５の弾性変形時に、当該弾性変形に起因する変位を前記調節具本体７に与えることのない高さ位置に前記弾性係止片１５を支持する高さを有すれば良いものである。
【００１４】
上記構成により、ダイ３に対して高さ調節具１を取付けるとき、前述したように、弾性係止片１５の先端側１５Ｅは支点２３を中心として半径内方向へ弾性変形される。この際、前記支点２３が環状の調節具本体７よりも高い位置に設けてあるので、弾性係止片１５の弾性変形の影響を受けることなく、調節具本体７は、ダイ３の下面５に面接触し、この面接触状態が常に保持されるものであり、繰り返しの折曲げ作用を受けるようなことがないものである。
【００１５】
また、前記弾性係止片１５を支持した立上り部２１は環状又は円弧上に形成してあることにより、調節具本体７における内縁部が補強される態様となり、弾性係止片１５の弾性変形時に調節具本体７に変位を与えるようなことがないものである。さらに、ダイ３に対して高さ調節具１を取付けたときには、前記立上り部２１がダイ孔１１の内面１３に接合することとなり、ダイ３に対する高さ調節具１の取付けがより安定的となるものである。
【００１６】
以上のごとき説明より理解されるように、前記高さ調節具によれば、弾性係止片の弾性変形を利用してダイに係止保持したとき、上記弾性係止片の弾性変形に拘りなく、環状の調節具本体をダイの下面に常に接合した状態に保持することができ、長時間の使用であっても弾性係止片の折損を防止できるものである。
【図面の簡単な説明】
【００１７】
【図１】本発明の実施形態に係る高さ調節具の説明図である。
【図２】従来の高さ調節具及びダイに取付けた状態の説明図である。
【符号の説明】
【００１８】
１  高さ調節具
３  ダイ
５  下面
７  調節具本体
１１  ダイ孔
１３  内面
１５  弾性係止片
２１  立上り部
２３  支点
【図１】
2006239728.tif 000003
【図２】
2006239728.tif 000004